Podtech/llm-jp-corpus-v4-ja_patent huggingface dataset:
(57)【要約】      （修正有）【課題】  野外での作業でもずれにくく、安定した装着が得られ、且つ安価で持ち運びに便利な日除け体を提供する。【解決手段】  柔らかい方形の布を円筒状に接合して円筒布体１を形成し、この円筒布体１を着用者の頭部から首周辺を十分に包囲可能な寸法とするとともに、円筒布体１の一方の開口部に、常態で開口部の直径よりも短い弾性ひも２を掛け渡したものである。円筒布体１は、紫外線を通しにくく、吸汗性に優れた素材である。また、円筒布体１の接合部は、着脱自在である。更に、円筒布体１の円筒面の一部に、通気性を持たせた。【選択図】図４
2008025073.tif 000002
【特許請求の範囲】
【請求項１】
柔らかい方形の布を円筒状に接合して円筒布体を形成し、該円筒布体を着用者の頭部から首周辺を十分に包囲可能な寸法とするとともに、前記円筒布体の一方の開口部に、常態で開口部の直径よりも短い弾性ひもを掛け渡したことを特徴とする日除け体。
【請求項２】
前記円筒布体は、紫外線を通しにくく、吸汗性に優れた素材であることを特徴とする上記請求項１記載の日除け体。
【請求項３】
前記円筒布体の接合部は、着脱自在であることを特徴とする上記請求項１記載の日除け体。
【請求項４】
前記円筒布体の円筒面の一部に、通気性を持たせたことを特徴とする上記請求項１記載の日除け体。
【発明の詳細な説明】
【技術分野】
【０００１】  本発明は、日中における野外での作業・レジャー等に使用できる日除け体に関するものである。
【背景技術】
【０００２】  この種の日除け体として、使用用途や目的によって様々な商品が提案されている。例えば、頭部や顔部への紫外線対策としては、帽子やバンダナの他、特許文献１に示すようなフード体が知られている。特許文献１に示すフード体は、頭部から首周辺を一体的に覆うものであり、使用形態がマウスベール、襟巻き、帽子と様々に変化できる点で非常に優れている。【０００３】  しかしながら、このフード体は様々な使用形態が得られるが故に、非常に複雑な構成であり、高価なものである。また、野外の作業によって顔出し部分にずれが生じやすく、安定した装着状態が維持しにくいという問題がある。
【特許文献１】  特開平１１−６１５４４号
【発明の開示】
【発明が解決しようとする課題】
【０００４】  そこで本発明の課題は、野外での作業でもずれにくく、安定した装着が得られ、且つ安価で持ち運びに便利な日除け体を提供することにある。
【課題を解決するための手段】
【０００５】  このような課題を解決するために本発明は、柔らかい方形の布を円筒状に接合して円筒布体を形成し、該円筒布体を着用者の頭部から首周辺を十分に包囲可能な寸法とするとともに、前記円筒布体の一方の開口部に、常態で開口部の直径よりも短い弾性ひもを掛け渡したものである。円筒布体は、紫外線を通しにくく、吸汗性に優れた素材である。また、円筒布体の接合部は、着脱自在である。更に、円筒布体の円筒面の一部に、通気性を持たせた。
【発明の効果】
【０００６】  本発明によれば、布を円筒状に接合し、一方の開口部にゴムを掛け渡すといったきわめて簡単な構成で、頭部・顔部・首部を一体的に覆い、野外作業でもずれにくく、安価で携帯性に優れた日除け体が得られる。また、円筒布体を紫外線を通しにくく吸汗性に優れた素材で構成することで、包囲した頭部・顔部・首部に対して日焼けを防止し、加えて虫除け・埃除けが図られる。更に、円筒布体の接合部を着脱自在としたので、洗濯がしやすく衛生的に使用することができる。また、円筒布体の円筒面の一部に、通気性を持たせたので、その通気性部分を口に合わせれば、息苦しさが軽減された良好な装着感が得られ、長時間の作業でも邪魔になることがない。
【実施例１】
【０００７】  以下、図面を用いて本発明の日除け体の実施例について説明する。
図１は実施例１の日除け体の外観を示す説明図である。１は方形の布を円筒状に接合して円筒布体、２は円筒布体１の一方の開口部３に掛け渡されたゴムひもである。【０００８】  円筒布体１は、紫外線を通しにくく吸汗性に優れた布素材で構成しており、着用者の頭部から首周辺を十分に包囲可能な寸法を有し、その端辺同士を縫合することで円筒状に形成したものである。布の望ましい展開サイズとしては、縦寸法が成人男性の頭部から首部までを包囲できる３５ｃｍ以上、横寸法が成人男性の頭部が通る直径３９ｃｍ以上を形成できる１２２ｃｍ以上とする。尚、端辺は、縫合せずにボタンや面ファスナー等で着脱自在に接合するようにしても良い。これにより、１枚の布に展開して洗濯することができ、清潔に保つことができる。【０００９】  ゴムひも２は、常態で円筒布体１の開口部３の直径よりも短い寸法を有し、開口部３に掛け渡されている。そして、その端部を円筒布体１の開口縁に縫合して取り付けられている。望ましいゴムひもの寸法は、１７ｃｍ以上とする。【００１０】  さて、このように構成する日除け体の使用方法について説明する。
図２〜４は、日除け体の装着手順を示す説明図である。まず、円筒布体１をゴムひも２が無い開口部４から頭部に被せる（図２）。次に、ゴムひも２によって区画される円筒布体１の上部側１ａで頭部全体を覆った後、ゴムひも２を後頭部に回り込ませる（図３）。これにより、ゴムひも２の弾性力で円筒布体１が頭部に密着した状態で取り付けられることになる。この状態で円筒布体１の上部側１ａの上半縁１ａと、下側部１ｂの下半縁が着用者の顔辺りで重合するので、これを開口させて目（必要ならば鼻）を露出させる（図４）。こうして、頭部・顔部・首部を包囲するように、円筒布体１が装着される。【００１１】  尚、このような装着状態における着用者の口（及び鼻）に当たる部分に通気性を持たせるようにするとよい。これにより、呼吸が容易に行えるようになり、長時間の装着でも息苦しくならない。
【図面の簡単な説明】
【００１２】
【図１】  実施例１の日除け体を示す外観図である。
【図２】  実施例１の日除け体の装着手順１を示す説明図である。
【図３】  実施例１の日除け体の装着手順２を示す説明図である。
【図４】  実施例１の日除け体の装着手順３を示す説明図である。
【符号の説明】
【００１３】１    円筒布体
１ａ  （円筒布体）上部側
１ｂ  （円筒布体）下部側
２    ゴムひも
３    開口部
【図１】
2008025073.tif 000003
【図２】
2008025073.tif 000004
【図３】
2008025073.tif 000005
【図４】
2008025073.tif 000006
(57)【要約】【課題】  ガ−ドルなどの使用時、トイレで用をたす際に脱ぎ着せず、はいた時のスタイルが持続できる補正下着を提供する。【解決手段】  任意のガ−ドル本体と、該ガ−ドルの股間部分にガ−ドルを脱がずに用をたせる形状の開口部を設けたことを特徴とする補正下着。【選択図】図３
2008025070.tif 000002
【特許請求の範囲】
【請求項１】
任意のガ−ドル本体と、該ガ−ドルの股間部分にガ−ドルを脱がずに用を足せる形状の開口部を設けたことを特徴とする補正下着。
【発明の詳細な説明】
【技術分野】
【０００１】  本発明はガ−ドルなどの着用時にトイレで脱がずに用をたせる補正下着に関するものである。
【背景技術】
【０００２】  従来、股間に開口部を有する補正下着はなかった。
用をたすために下だけ止め金で開閉できるブラジャ−、ガ−ドル、一体型の補正下着はあった。
【発明の開示】
【発明が解決しようとする課題】
【０００３】  それには次のような問題点があった。
（イ）トイレに入った時ガ−ドルを脱いで用をたさなければならない為、元々締めつける目的で作られた下着は脱ぎにくい。さらに自宅で洋服を着る前にパンツスタイルの時は太ももを包み込む部分は膝近くまで長く伸ばし、スカ−トの時は短めに、お腹を押し上げ、お尻を持ち上げて鏡を見ながらはいた時のような納得のいくはきかたができない。
（ロ）下だけ開閉できるブラジャ−、ガ−ドル、一体型の補正下着では止め金を外して少しめくり上げパンツを脱いで用をたし、パンツをはいてめくり上げた部分を元に戻し何連かになる止め金を一つ一つ止めなければならない。
本発明は、以上の問題点を解決するためのものである。
【課題を解決するための手段】
【０００４】  任意のガ−ドル本体と、該ガ−ドル股間部分に、ガ−ドルを脱がずに用をたせる形状の開口部を設けたことを特徴とする補正下着である。
【発明の効果】
【０００５】  本発明は股間部分に開口部を有するガ−ドルをはいて、その上にパンツをはくことで、トイレでの脱ぎ着がパンツだけで済むので自宅ではいたままのスタイルが一日中保持できる。
また、長時間はき続けても性器が汗で蒸れたり圧迫されることがない為、女性特有の病気にもかかりにくい。
【発明を実施するための最良の形態】
【０００６】  以下、本発明の実施の形態を説明する。
胸下からお尻、太ももにかけてしっかり包み込むガ−ドル本体（１）の股間部に楕円形、又は長方形の開口部（２）を設ける。
本発明を使用する場合には、ガ−ドル本体（１）をはき次にパンツ（３）をはく。トイレで用をたす際は通常のようにパンツ（３）のみ脱ぎ着する。
【図面の簡単な説明】
【０００７】
【図１】本発明の斜視図
【図２】本発明の底面斜視図
【図３】本発明の使用状態を示す斜視図
【符号の説明】
【０００８】１  ガ−ドル本体
２  開口部
３  パンツ
【図１】
2008025070.tif 000003
【図２】
2008025070.tif 000004
【図３】
2008025070.tif 000005
(57)【要約】【課題】  指の間に適当の大きさの穴を開ける、穴から風通しができる作業手袋を提供する。【解決手段】  手袋の指と指の間に適当の大きさの穴を開けることを特徴とする作業手袋である。【選択図】図１
2008025068.tif 000002
【特許請求の範囲】
【請求項１】
手袋の指と指の間に適当の大きさの穴を開ける。以上を特徴とする作業手袋。
【発明の詳細な説明】
【技術分野】
【０００１】  本発明は熱を発散する機能を持つ作業手袋に関するものである。
【背景技術】
【０００２】  従来の作業手袋の指と指の間は密封されている。
【発明の開示】
【発明が解決しようとする課題】
【０００３】  そのために、次のような欠点があった。
夏での作業に着用するとき、熱を発散することができない、特に風通がわるいため、手からよく汗をかく。
本発明はこれらの問題点を解決するためになされたものである。
【課題を解決するための手段】
【０００４】  手袋の指と指の間に適当の大きさの穴を開ける。以上を特徴とする作業手袋である。
【発明の効果】  暑い時期に手から汗かくことが軽減され、雑菌の繁殖を抑制し、手にやさし環境空間を作り上げられる。手の動きに合わせて、開いてる穴から風通しができ、手に涼しい空間を作ることで、手の健康につながる。夏作業対応。
【発明を実施するための最良の形態】
【０００６】  手袋（１）の指と指の間に、適当の大きさの穴（２）を開ける、作業する時に手の動きにより、穴（２）から空気が流れ込み、手に涼しくて、優し環境を作ることができる。
なお指間に穴（２）を開けるのは、すべての指間ではなくてもよい。
【図面の簡単な説明】
【０００７】
【図１】  本発明の斜視図
【図２】  本発明の他の実施例を示す斜視図
【符号の説明】
【０００８】  １  手袋本体
２  穴
【図１】
2008025068.tif 000003
【図２】
2008025068.tif 000004
(57)【要約】      （修正有）【課題】ストッキング素材が足に密着していることによるズボンやスカートが汗でベタつくことがなくなり、足の動作を軽快になり。さらに腰周りの暑苦しさがなく、足首から爪先までのオシャレに影響がなく、着脱が容易なストッキングサポーターを提供する。【解決手段】ストッキング素材を用いて、細長状で少なくとも３０〜１００ｃｍ程度の長さの筒体で、両端の開口部の一方の直径が他方の直径より大きいこと、また筒体の両端の開口部に固定帯を設けた。【選択図】図１
2008025069.tif 000002
【特許請求の範囲】
【請求項１】
ストッキング素材を用いて、細長状で少なくとも３０〜１００ｃｍ程度の長さの筒体で、両端の開口部の一方の直径が他方の直径より大きいことを特徴としたストッキングサポーター。
【請求項２】
筒体の両端の開口部に固定帯を設けた請求項１のストッキングサポーター。
【発明の詳細な説明】
【技術分野】
【０００１】  本発明は、ストッキングサポーターに関するものである。
【背景技術】
【０００２】  従来、男性はズボンを穿くにあたって、すててこ・ももひき（以下、ズボン下と称する）などを装着して汗によるズボンのべたつき防止を兼ねていた。女性はズボンやスカートの下にパンティストッキングなどを装着していた。
【発明の開示】
【発明が解決しようとする課題】
【０００３】  そのために、次のような問題点があった。
（イ）男性においては、足とズボン下の間に空間が生じて、汗が出たときにズボン下の布地に足がベタつく感じで足の動作が緩慢になっていた。
（ロ）ズボン下は足からウェスト部分までを覆っており、ブリーフの上にズボン下、その上にズボンと衣類が重なり暑苦しかった。
（ハ）女性においても、パンティストッキングはウェスト部分からつま先までを覆い、ベタつきはないものの、暑苦しかった。
（ニ）パンティストッキングは爪先までを覆うため、爪先から足首に施したオシャレが見えなくなってしまっていた。
本発明は以上の問題点を解決しようとするものである。
【課題を解決するための手段】
【０００４】  ストッキング素材を用いて、細長状で少なくとも３０〜１００ｃｍ程度の長さの筒体で、両端の開口部の一方の直径が他方の直径より大きいことを特徴としたストッキングサポーターである。また、筒体の両端の開口部に固定帯を設けたストッキングサポーターである。
【発明の効果】
【０００５】  ストッキング素材が足に密着していることにより、ズボンやスカートが汗でベタつくことがなくなり、足の動作が軽快になる。さらに、パンティ部分と爪先部分が無く、腿から膝下部分のみであるため、腰周りの暑苦しさがなくなり、足首から爪先までのオシャレに影響がなく、着脱が容易である。
【発明を実施するための最良の形態】
【０００６】  以下、発明の実施の形態について説明する。
（イ）従来パンティストッキングに使用される素材を用いて、本体（１）を細長状にし、少なくとも３０〜１００ｃｍ程度の長さにする。これは従来のパンティストッキングにおいてのパンティ部分（８）と爪先部分（９）を必要としないものである。
（ロ）本体（１）の両端に設けた開口部（２）（３）の一方の直径（４）は他方の直径（５）より大きくしている。
（ハ）開口部（２）（３）は、本体素材を加工して、より強度性をもつ固定帯（６）（７）を設ける。但し、固定帯（６）（７）は本体素材を用いるだけでなく、ずれ防止のため、ゴム素材やシリコン素材を使用することも可能である。
本発明は、以上の構成よりなるストッキングサポーターである。
これを使用するときは、通常ズボン（１１）やスカート（１２）を穿く前に足（１０）に装着する。この場合、一方の開口部（２）は大腿部（１３）までとし、他方の開口部（３）は膝下からふくらはぎ部（１４）あたりまでとする。これを他方の足にも同様に装着する。ストッキング素材を用いているため、装着中の本体（１）は常に足（１０）に密着した状態になっており、本体（１）とズボン（１１）との空間（１５）のみ、または本体（１）とスカート（１２）との空間（１６）のみとなり、汗をかいても足（１０）がベタつくことはなくなり動作が快適になるのである。ちなみに、ズボン下（１７）を着用した場合は、足（１０）とズボン下（１７）との空間（１８）があることにより、足（１０）がズボン下（１７）にベタつき、動作が緩慢になってしまうのである。両端の固定帯（６）（７）にゴム素材やシリコン素材を使用することにより、本体（１）がずれることはなく、また、固定帯（６）に市販のガータベルトを取り付けることも可能である。必要時においてズボン（１１）やスカート（１２）の裾を捲り、本体（１）を取り外すことができ、また別の本体（１）を装着することも可能である。つまり、パンティ部分（８）と爪先部分（９）が無いので着脱が容易なのである。
【図面の簡単な説明】
【０００７】
【図１】本発明を示した斜視図
【図２】本発明の使用状態示す斜視図
【図３】パンティストッキングの平面図
【図４】本発明をズボンの下に使用した状態を示す断面図
【図５】本発明をスカートの下に使用した状態を示す断面図
【図６】ズボン下の使用状態を示す断面図
【符号の説明】
【０００８】      １  本体
２  開口部
３  開口部
４  直径
５  直径
６  固定帯
７  固定帯
８  パンティ部分
９  爪先部分
１０  足
１１  ズボン
１２  スカート
１３  大腿部
１４  膝下からふくらはぎ部
１５  本体とズボンとの空間
１６  本体とスカートとの空間
１７  ズボン下
１８  足とズボン下との空間
【図１】
2008025069.tif 000003
【図２】
2008025069.tif 000004
【図３】
2008025069.tif 000005
【図４】
2008025069.tif 000006
【図５】
2008025069.tif 000007
【図６】
2008025069.tif 000008
(57)【要約】【課題】案内レールの上面にカバーが取り付けられているリニアガイド装置において、カバーの取付や交換が容易に行えるようにする。【解決手段】カバー２は、案内レール１の上面に配置される幅方向中央部２１の両端から、案内レール１の側面上部に配置される側面部２２が屈曲している形状である。高弾性且つ高摩擦係数の材料からなる帯状体３を案内レール１の上面に接触させて置き、その上にカバー２を取り付ける。【選択図】図１
2008138741.tif 000002
【特許請求の範囲】
【請求項１】
スライダと案内レールと転動体を備え、案内レールの上面にカバーが取り付けられているリニアガイド装置において、
前記カバーは、案内レールの上面に配置される幅方向中央部の両端から、案内レールの側面上部に配置される側面部が屈曲している形状であり、案内レールの上面に接触させて置かれた、高弾性且つ高摩擦係数の材料からなる帯状体を介して取り付けられていることを特徴とするリニアガイド装置。
【請求項２】
前記材料はゴムである請求項１記載のリニアガイド装置。
【発明の詳細な説明】
【技術分野】
【０００１】
この発明は、案内レールの上面にカバーが取り付けられているリニアガイド装置に関する。
【背景技術】
【０００２】
従来より、リニアガイド装置の案内レールの上面には、防塵等の目的で、カバーを取り付けることが行われている。
下記の特許文献１には、案内レールの上面に配置される幅方向中央部の両端から、案内レールの側面上部に配置される側面部が屈曲している形状のカバーが記載されている。前記側面部は、案内レールの上部側面から下方に向かって幅方向に縮小する斜面に対応させて、幅方向中央部に対して鋭角となる斜面状に形成されている。そして、カバーの幅方向中央部は、案内レールの上面に配置した両面テープ等の粘着テープで固定し、側面部は、案内レールの側面上部の斜面に係合させることで固定している。
【特許文献１】特開２００５−１３３７５０号公報
【発明の開示】
【発明が解決しようとする課題】
【０００３】
特許文献１に記載された方法では、切削液等の液体がかかる環境で使用された場合でもカバーの浮き上がりを長期間に渡って防止できるが、カバーの取付や交換の際に、粘着テープの除去等の手間がかかる。
本発明は、このような従来技術の問題点に着目してなされたものであり、案内レールの上面にカバーが取り付けられているリニアガイド装置において、カバーの取付や交換が容易に行えるようにすることを課題とする。
【課題を解決するための手段】
【０００４】
上記課題を解決するために、本発明は、スライダと案内レールと転動体を備え、案内レールの上面にカバーが取り付けられているリニアガイド装置において、前記カバーは、案内レールの上面に配置される幅方向中央部の両端から、案内レールの側面上部に配置される側面部が屈曲している形状であり、案内レールの上面に接触させて置かれた、高弾性且つ高摩擦係数の材料からなる帯状体を介して取り付けられていることを特徴とするリニアガイド装置を提供する。
【０００５】
高弾性且つ高摩擦係数の材料としては、例えば、ゴム、エラストマーが挙げられる。ゴムの中では、特にウレタンゴムが摩擦係数の高さの点で好ましい。
本発明のリニアガイド装置においては、前記形状のカバーが高弾性且つ高摩擦係数の材料からなる帯状体を介して取り付けられているため、帯状体の弾性と摩擦によりカバーが案内レールに対して密着され、ズレが生じない。また、粘着テープを介して取り付けられている場合と比較して、カバーの取付や交換が容易である。
前記材料がゴム等の防振性を有する材料であると、リニアガイド装置の使用時のスライダ移動による騒音を抑える効果があるため好ましい。
【発明の効果】
【０００６】
本発明によれば、案内レールの上面に取り付けられているカバーの取付や交換を容易に行うことができる。
【発明を実施するための最良の形態】
【０００７】
以下、本発明の実施形態について説明する。
図１は、この実施形態のリニアガイド装置の案内レール１であって、上面にカバー２が取り付けられている状態を示す断面図である。
案内レール１は金属製で、二対４列の転動体軌道面１１〜１４を有する。
カバー２は、長尺な鋼板をプレス加工により、幅方向中央部２１の両端から側面部２２が屈曲している形状としたものである。幅方向中央部２１は案内レール１の上面に配置され、側面部２２は案内レール１の側面上部に配置される。側面部２２の先端２２ａは、案内レール１の上部側面の斜面（上部側面から下方に向かって幅方向に縮小する斜面）に対応する斜面状に形成されている。
【０００８】
そして、このカバー２は、案内レール１の上面に接触させて置かれたゴム製の帯状体３を介して、案内レール１の上面に取り付けられている。
この実施形態のリニアガイド装置によれば、カバー２が、ゴム製の帯状体３を介して案内レール１の上面に取り付けられているため、帯状体３の弾性と摩擦によりカバー２が案内レール１に対して密着され、ズレが生じない。また、粘着テープを介して取り付けられている場合と比較して、カバー２の取付や交換が容易である。さらに、ゴム製の帯状体３を用いているため、リニアガイド装置の使用時のスライダ移動による騒音を抑える効果もある。
また、上述のように、帯状体３の弾性と摩擦によりカバー２が案内レール１に対して密着され、ズレが生じないため、図２に示すようにカバー２を連接して取り付ける場合に、例えば、図３に示すように、各側面部２２の接合面２２ｂを互いに嵌まり合う傾斜面として、接合具を不要にすることができる。
【図面の簡単な説明】
【０００９】
【図１】実施形態のリニアガイド装置の案内レールの上面にカバーが取り付けられている状態を示す断面図である。
【図２】カバーを連接して取り付けた状態を示す平面図である。
【図３】図２の場合のカバーの側面部の接合面を説明する側面図である。
【符号の説明】
【００１０】
１  案内レール
１１〜１４  転動体軌道面
２  カバー
２１  幅方向中央部
２２  側面部
２２ａ  側面部の先端
２２ｂ  接合面
３  帯状体
【図１】
2008138741.tif 000003
【図２】
2008138741.tif 000004
【図３】
2008138741.tif 000005
(57)【要約】【課題】  この発明は、同じ重量のものの片側が、絶えず重い状態にすること【解決手段】  この課題を解決するには、てこの原理を応用して、主軸に可動軸を取り付け、回転に応じて可動軸を移動させ、同じ重量のものが、可動軸の移動により、重心が移動し絶えず片方に重さが移動して、回転する回転機。【特許請求の範囲】
【請求項１】
回転軸に取り付けた可動軸の移動により、回転する回転機
【請求項２】
同じ重さの物が、重量の移動によって回転する回転機
【請求項３】
同じ重さの物が、重心の移動によって回転する回転機
【発明の詳細な説明】
【発明の詳細な説明】
【技術分野】
【００１】  この特許は回転機に関するものである
【背景技術】
【００２】  従来の回転機は、モーター等の動力により回転を作り出し、それを色々な作業に応用してきた。しかし、回転機を作動させるには、必ず電力かエンジン、水力、風力等のエネルギーを、受け入れなければ、回転機は作動しない。
【発明が解決しようとする課題】
本案は、この欠点を解決するのに、回転する主軸（１）に可動軸（２）を取り付け、回転に応じて可動軸を一定方向に移動させる。この移動により可動軸の、主軸よりの長さが変わる。
てこの原理の応用により、同じ重量の物が可動軸の移動と共に重心が移動する。
可動軸の移動により、同じ重量の回転軌道（３）がたえず一定の方向に、落下上昇を始める。
このような方法で回転するので、電力及びエンジン、水力、風力等のエネルギーを受け入れなくても、重力により無期限に回転する、回転機ができる。
2008138655.tif 000002
(57)【要約】【課題】ＣＦ３Ｉを含む冷媒が使用される冷凍回路における冷凍機油の分解を抑制し、耐久性信頼性に優れた冷凍回路を提供する。【解決手段】ＣＦ３Ｉを含む冷媒を用いる冷凍回路において、冷凍機油としてアルキルベンゼン、または鉱油、またはポリアルキレングリコールよりも極性の小さい物質、またはアルファオレフィン油が用いられることを特徴とする冷凍回路。【選択図】図１
2008138909.tif 000002
【特許請求の範囲】
【請求項１】
ＣＦ３Ｉを含む冷媒を用いる冷凍回路において、冷凍機油としてアルキルベンゼンが用いられることを特徴とする冷凍回路。
【請求項２】
ＣＦ３Ｉを含む冷媒を用いる冷凍回路において、冷凍機油として鉱油が用いられることを特徴とする冷凍回路。
【請求項３】
ＣＦ３Ｉを含む冷媒を用いる冷凍回路において、冷凍機油としてポリアルキレングリコールよりも極性の小さい物質が用いられることを特徴とする冷凍回路。
【請求項４】
ＣＦ３Ｉを含む冷媒を用いる冷凍回路において、冷凍機油としてアルファオレフィン油が用いられることを特徴とする冷凍回路。
【発明の詳細な説明】
【技術分野】
【０００１】
本発明は、ＣＦ３Ｉを含む冷媒を用いる冷凍回路に関し、とくに車両用空調装置、ショーケース、自動販売機の冷凍回路に好適な冷凍回路に関する。
【背景技術】
【０００２】
ＨＦＣ−１３４ａ（ＣＦ３ＣＦＨ２）を冷媒に用いる回路については多数の提案がなされている（たとえば、特許文献１）。しかし、ＥＵのフッ素ガス規制（Ｆガス規制）においては、２０１１年以降に販売される全ての新車でＨＦＣ−１３４ａの使用を段階的に廃止し、地球温暖化係数（以下、単にＧＷＰと言う。）が１５０未満の代替冷媒の使用が求められている。なお、ＨＦＣ−１３４ａは塩素分子を含有しないため、オゾン破壊係数（ＯＤＰ）は０であるが、地球温暖化係数は１３００と大きい。このため、近年、ＨＦＣ−１３４ａの代替冷媒として二酸化炭素、あるいはＧＷＰが１０以下のヨウ素含有冷媒（ＣＦ３ＣＦ＝ＣＨ２とＣＦ３Ｉとの混合冷媒）の提案がなされている。とくに、ＣＦ３ＩはＧＷＰが２〜３と非常に小さくＨＦＣ−１３４ａの代替冷媒として好適である。
【０００３】
しかし、物質の対流圏寿命に依存するＧＷＰが小であることは、ＣＦ３Ｉは不安定であることを意味する。とくに、冷凍回路内においては水、オイル（冷凍機油）が存在するうえ高温、高圧であるため、水等の分解に起因する水素の発生によりＣＦ３Ｉが分解されるおそれがある。
ＣＦ３Ｉ＋Ｈ２Ｏ＋オイル→ＨＩ＋ＣＨ３Ｉ＋ＲＣＯＯＨ
【０００４】
上記のようにＣＦ３Ｉが分解されると、ＨＩ等の酸が発生し該酸により、冷凍回路の配管が腐食したり、冷凍機油であるポリアルキレングリコール（以下、単にＰＡＧと言う。）が分解されるおそれがある。とくに、ＰＡＧのポリエーテル構造のうち３級炭素の部分は不安定であるため分解され易い。冷凍機油であるＰＡＧが分解されると冷凍回路内に配設された各機器（たとえば、圧縮機）の潤滑性が損なわれ冷凍回路の耐久性、信頼性が低下するおそれがある。
【特許文献１】特開平５−０６０４０６号公報
【発明の開示】
【発明が解決しようとする課題】
【０００５】
そこで、本発明の課題は、ＣＦ３Ｉを含む冷媒が使用される冷凍回路における冷凍機油の分解を抑制し、耐久性信頼性に優れた冷凍回路を提供することを目的とする。
【課題を解決するための手段】
【０００６】
上記課題を解決するために、本発明に係る冷凍回路は、ＣＦ３Ｉを含む冷媒を用いる冷凍回路において、冷凍機油としてアルキルベンゼンが用いられることを特徴とするものからなる。このような構成においては、冷凍機油としてＰＡＧに代えて、水やその他の物質と反応しにくく熱安定性、化学的安定性に優れたアルキルベンゼンが使用されているので、ＣＦ３Ｉの分解に伴い酸等が発生しても冷凍機油としてのアルキルベンゼンの分解は殆ど生じない。したがって、冷凍機油としてのアルキルベンゼンの分解が大幅に抑制され、冷凍回路内に設置される圧縮機等の器機の潤滑性が長期間に亘り確実に確保され、冷凍回路の耐久性信頼性が向上される。
【０００７】
上記アルキルベンゼンは、ベンゼンの水素原子を１〜６個のアルキル基で置換したものであればよくとくに限定されるものではないが、代表例として、以下に示す分岐鎖型のアルキルベンゼンを挙げることができる。
【０００８】
【化１】
2008138909.tif 000003
【０００９】
本発明に係る冷凍回路の冷凍機油は、鉱油（流動パラフィン）を用いることが可能である。鉱油は、ナフテン系、パラフィン系のいずれでもよい。
【００１０】
また、本発明に係る冷凍回路の冷凍機油は、ポリアルキレングリコール（以下、単にＰＡＧと言う。）よりも極性が小さい物質、たとえば、溶解度パラメータ（以下、単にＳＰ値と言う。）が１０以下の物質を用いることが可能である。
【００１１】
さらに、本発明に係る冷凍回路の冷凍機油は、アルファオレフィン油を用いることもできる。
【発明の効果】
【００１２】
このように、本発明に係る冷凍回路によれば、ＣＦ３Ｉの分解に伴う酸の発生による冷凍機油の分解のおそれを解消できるので、長期間に亘り冷凍回路内に設置される圧縮機等の各器機の潤滑性を確保でき、冷凍回路の耐久性、信頼性を向上できる。
【発明を実施するための最良の形態】
【００１３】
以下に、本発明に係る冷凍回路の望ましい実施の形態を図面を参照して説明する。
図１は、本発明の一実施態様に係る冷凍回路を示しており、図１の冷凍回路１は、自動車用空調装置の冷凍回路に構成されており、冷媒にはＣＦ３Ｉを含む冷媒、具体的には、ＣＦ３ＣＦ＝ＣＨ２とＣＦ３Ｉとの混合冷媒が使用されている。
【００１４】
冷凍回路１は、圧縮機２と該圧縮機２で圧縮された高温、高圧のガス冷媒を凝縮させるコンデンサ３、コンデンサ３から排出された高温、高圧の液冷媒を気液分離する受液器４と、受液器４で気液分離された液冷媒を膨張させる膨張弁５と、膨張弁５で急激に膨張され低温、低圧になった液冷媒を蒸発させるエバポレータ６とを有している。上記各器機は配管７により接続され一つの回路が形成されている。
【００１５】
上記冷凍回路１においては、冷凍機油としてアルキルベンゼン、またはナフテン系の鉱油、またはパラフィン系の鉱油、または、ＰＡＧよりも極性が小さい物質（たとえば、ＳＰ値が１０以下の物質）、またはアルファオレフィン油を用いることができる。
【００１６】
本実施態様においては、冷凍機油として従来のＰＡＧに代えて、水やその他の物質と反応しにくく熱安定性、化学的安定性に優れたアルキルベンゼン、または鉱油等が使用されているので、ＣＦ３Ｉが分解され酸が発生しても冷凍機油の分解が大幅に抑制される。したがって、冷凍回路１内に配置される各器機の潤滑性が長期に亘り確保されるので、冷凍回路の耐久性、信頼性を向上できる。
【産業上の利用可能性】
【００１７】
本発明は、ＣＦ３Ｉを含む冷媒を用いる冷凍回路、たとえば車両用空調装置、ショーケース、自動販売機等の冷凍回路に好適である。
【図面の簡単な説明】
【００１８】
【図１】本発明の一実施態様に係る冷凍回路の概略構成図である。
【符号の説明】
【００１９】
１  冷凍回路
２  圧縮機
３  コンデンサ
４  気液分離器
５  膨張弁
６  エバポレータ
７  配管
【図１】
2008138909.tif 000004
(57)【要約】      （修正有）【課題】曲面上に被固定物を自由に固定、回転できるヒンジ装置を実現し、１つの磁石を使用し複数面において端部に磁石を含む１つの被固定物を磁石同士の結合により固定できるようにする。【解決手段】一方の被固定物１１の端部に、磁石３０を封入した容器２０を設け、磁石を端部に含むもう一方の被固定物１０を、容器表面に固定できるようにする。磁石を端部に含む被固定物を、容器表面のある場所に近づけると、内部の磁石が移動・回転してその場所の容器内側の面に引き寄せられＮ極とＳ極で結合し、その磁石同士の引力による被固定物と容器表面間の摩擦力の増加により被固定物が容器表面に固定される。容器表面が曲面の形状をもつ場合、容器内部で磁石が自由に移動・回転できるため、被固定物を固定している場所で曲率中心に対して、接ベクトル方向に容器表面との接着を維持したまま被固定物を回転することができる。【選択図】図１
2008138858.tif 000002
【特許請求の範囲】
【請求項１】
一方の被固定物の端部に、１つ又は複数のそれぞれに磁石を封入した仕切られた空間がある容器を設け、磁石又は強磁性体を端部に含むもう一方の被固定物を、１つ又は複数個、容器表面に固定できるようにした固定装置。磁石又は強磁性体を端部に含む被固定物を、容器表面のある場所に近づけると、内部の磁石が移動・回転してその場所の容器内側の面に引き寄せられＮ極とＳ極で結合し、その磁石同士、又は磁石と強磁性体間の引力による被固定物と容器表面間の摩擦力の増加により被固定物が容器表面に固定される。容器表面は曲面の形状をもち、かつ容器内部で磁石が自由に移動・回転できるため、被固定物を固定している場所で曲率中心に対して、接ベクトル方向に容器表面との接着を維持したまま被固定物を回転することができる。
【請求項２】
請求項１の固定装置において、容器を曲率がない多面体状にしたもの。非固定物を回転させることはできないが、容器内部で磁石が自由に移動・回転できるため、容器を構成する任意の面に垂直な方向に強く被固定物を固定することができる。
【請求項３】
請求項１の固定装置において、磁石を封入せずに、容器又は容器とその内部を強磁性体で置き換えたもの。被固定物を強磁性体表面に固定している場所で曲率中心に対して、接ベクトル方向に回転することができる。請求項１の場合より相対的に固定力は劣るが、加工が容易で低コストである。
【発明の詳細な説明】
【技術分野】
【０００１】本発明は、２つ以上の被固定物を固定するための、固定装置、ヒンジ機構に関する。
【発明の開示】
【発明が解決しようとする課題】
【０００２】従来の技術では、例えば球面上に被固定物を自由に固定、回転できるヒンジ装置は作れない。また、端部に磁石を含む１つの被固定物を複数の面で磁石同士の結合により固定できるようにするには、面にそれぞれ磁石を付着させておく必要があるため、面の数だけ磁石が必要となる。【０００３】本発明は、以上２点の問題に対して、曲面上に被固定物を自由に固定、回転できるヒンジ装置を実現すること、１つの磁石を使用し複数面において端部に磁石を含む１つの被固定物を磁石同士の結合により固定できるようにすることを課題とする。
【課題を解決しようとする手段】
【０００４】一方の被固定物の端部に、磁石を封入した容器を設け、磁石を端部に含むもう一方の被固定物を、容器表面に固定できるようにする。磁石を端部に含む被固定物を、容器表面のある場所に近づけると、内部の磁石が移動・回転してその場所の容器内側の面に引き寄せられＮ極とＳ極で結合し、その磁石同士の引力による被固定物と容器表面間の摩擦力の増加により被固定物が容器表面に固定される。
【０００５】容器表面が曲面の形状をもつ場合、容器内部で磁石が自由に移動・回転できるため、被固定物を固定している場所で曲率中心に対して、接ベクトル方向に容器表面との接着を維持したまま被固定物を回転することができる。
【０００６】容器が曲率を持たない多面体状の場合、非固定物を回転させることはできないが、容器内部で磁石が自由に移動・回転できるため、封入した１つの磁石の使用により、容器を構成する任意の面に垂直な方向に強く被固定物を固定することができる。
【発明の効果】
【０００７】本発明は、従来技術には見られない、さまざまな曲面上に被固定物を自由に固定、回転できるヒンジ装置を実現する。
【０００８】本発明は、従来技術には見られない、１つの磁石を使用し複数面において端部に磁石を含む１つの被固定物を磁石同士の結合により固定できるようにすることを実現する。
【発明を実施するための最良の形態】
【０００９】発明の実施の形態は、「課題を解決しようとする手段」に記載したとおりである。発明を効率良く実現するには、できるだけ強力な磁石を使うこと、磁石の形状を容器表面の形状に合わせること、磁石を封入する容器をできるだけ薄いものにすること、容器と被固定物間の摩擦係数をできるだけ大きくすることが挙げられます。
【図面の簡単な説明】
【００１０】
【図１】被固定物の端部に、磁石を封入した円柱状容器を設け、磁石を端部に含むもう一方の被固定物を、容器表面に固定したものを横から見た図である。
【図２】被固定物の端部に、中を２つに仕切って磁石を封入した球状容器を設け、磁石を端部に含む２つの被固定物を、容器表面に固定した正面図である。
【図３】被固定物の端部に、磁石を封入した直方体状容器を設け、磁石を端部に含むもう一方の被固定物を、容器表面に固定した正面図である。
【図４】携帯電話機の本体に、磁石を封入した円柱状容器を２つ設け、対応する位置に磁石を２つ設けた画面部を、本体に固定した正面図である。
【符号の説明】
【００１１】１０、１１、１２、１３、１４、１５、１６：被固定物
１７：携帯電話本体
１８：携帯電話画面部
２０、２１、２２、２３、２４：容器
３０、３１、３２、３３、３４、３５、３６、３７、３８、３９、５０、５１：磁石
４０：仕切り
【図１】
2008138858.tif 000003
【図２】
2008138858.tif 000004
【図３】
2008138858.tif 000005
【図４】
2008138858.tif 000006
(57)【要約】【課題】  通常ログハウスとは、同寸に加工した丸太を組み合わせたものです。しかしこの工法は、現場作業が多く危険なうえに非効率的なものです。又構造的にも大きな材料を必要とし、高価な建築工法です。一般建築物にたいして割高なのもここに起因しています。【解決手段】  小口径の間伐材丸太を加工、鉄板プレートを組み、継ぎ手、仕口、を金物にて負担、ログ材を柱の溝に差込み積み重ねていきます。トラックにて、運搬、搬入、組立を行います。モヂュールを統一し部材を規格化します。【選択図】    図１
2008138434.tif 000002
【特許請求の範囲】
【請求項１】
金物で、小口径の間伐材を有効活用することを特徴とするログハウス。
【請求項２】
前記ログハウスは、木材と木材とを、金物によって補強及び緊結するのを、特徴とする請求項１の建築工法。
【請求項３】
前記金物をログ材に工場で事前に組み込み現場作業をなくし、又モヂュールを１８００ｍｍ、及び３６００ｍｍに統一して部材を既製品化して施工性を向上させたのを特徴とする請求項２記載の建築工法。
【発明の詳細な説明】
【技術分野】
【０００１】
この発明は、ログハウスのプレファブ化及び間伐材有効利用に関する建築工法。
【背景技術】
【０００２】
従来のログハウスは、大経口の丸太を１本ずつ現場で組み立てていくものである。
【発明の開示】
【発明が解決しようとする課題】
【０００３】
しかしながら、従来の工法によれば、危険を伴う現場作業が多く、効率が悪い上に、費用も過大にかかってしまう事である。
そこで、この発明は、ログハウス現場作業を、簡略化、省力化、する事を、課題とする。
【課題を解決するための手段】
【０００４】
以上の課題を解決する為に、第一発明は、木材を工場で同一加工し現場では、組み立て作業のみとしたのを特徴としたログハウスである。
【０００５】
第２発明は、ログハウスをユニット化し部材を統一して施工性を向上させモヂュールを、１８００及び３６００としたことを特徴としたログハウス。
【発明の効果】
【０００６】
この実施形態によればほとんどの工程が工場製作が可能となり、現場作業は運搬組立のみとなり特殊技能者も熟練技術者も全く不要である。
【発明を実施するための最良の形態】
【０００７】
この発明の実施形態を図１〜図３に示す。
図１の通り金物を埋め込んだログ材を柱間に積み重ねていく。
図１で示すブレース、桁、梁、棟木をはめこんでいく。
図２はこの発明の完成型をしめす。
【実施例１】
【０００８】
図１の実施形態では２棟連体であるが、複数棟連棟も可能である。
【図面の簡単な説明】
【０００９】
【図１】この発明の一実施形態を示す斜視図である。
【図２】この発明の一完成図を示す斜視図である。
【図３】各部納り断面詳細図である。
【図４】従来工法図である。
【符号の説明】
【００１０】
１  土台固定用兼水切り
２  ログ材柱
３  ログ壁受け用金物
４  土台用ログ材
５  ログ壁繋ぎ用アングル２５×２０×３
６  壁用一般ログ材
７  桁用ログ材
８  梁用ログ材
９  棟木
１０  ブレース鋼管パイプ
【図１】
2008138434.tif 000003
【図２】
2008138434.tif 000004
【図３】
2008138434.tif 000005
【図４】
2008138434.tif 000006
(57)【要約】【課題】蝶番を作製する上で部品点数と部品組立の工程数を削減することができる蝶番を提供する事を目的とする。【解決手段】取り付け板２の１種類の部品から構成され、鉄または鉄合金で形成する。取り付け板２の縁部に軸ピン３の機能を設け、軸ピン３を巻き付け部４で包み込み回動軸とするものである。【選択図】図１
2008138497.tif 000002
【特許請求の範囲】
【請求項１】
１種類の部品で構成される事が特徴の蝶番。
【請求項２】
取り付け板の縁部に軸ピンの機能を設けた事が特徴の請求項１に記載の蝶番。
【発明の詳細な説明】
【技術分野】
【０００１】本発明は扉を扉枠等に取り付けるための１種類の部品で構成される蝶番に関する。
【背景技術】
【０００２】従来、例えば扉を開閉自在に支持する蝶番として、取り付け板部の縁部に軸巻き付け部を設け、軸ピンを取り付け板の縁部にある軸巻き付け部の軸受孔に挿入し、軸ピンを座屈させて回動軸とするものが知られている。
【発明の開示】
【発明が解決しようとする課題】
【０００３】上記で述べたように、軸ピンを取り付け板部の縁部にある軸巻き付け部の軸受孔に挿入し軸ピンを座屈させて回動軸とするタイプは部品点数が少なくとも２種類は必要になり、部品に掛かる材料費が上がり部品組立の工程数も多くなる。
以上の問題点を解決するために、部品点数と部品組立の工程数を削減できるようにした蝶番を提供する事を課題とする。
【課題を解決する手段】
【０００４】上記の目的を達成するために本発明の蝶番は図１に示すように、取り付け板２の１種類の部品から構成され、取り付け板２には取り付け用の長穴５が２箇所備えてある。
取り付け板２は鉄または鉄合金で形成し、取り付け板２の縁部に軸ピン３の機能を設け１種類の部品で構成されることを特徴とするもので、図中符号１は蝶番を全体的に示す。
【発明を実施するための最良の形態】
【０００５】本発明にかかる蝶番の実施の形態を図面に基づいて説明する。
図１は蝶番を組み立てた状態の斜視図、図２は蝶番の分解斜視図、図３は旋工状態を示す斜視図であって、同記図中符号１は蝶番を全体的に示す。【０００６】蝶番１は、取り付け板２の１種類の部品から構成されており、取り付け板２の縁部には軸ピン３の機能が設けてある。【０００７】上記の取り付け板２は鉄または鉄合金で形成し、取り付け板２の縁部には軸ピン３の機能が設けてある。取り付け板２の縁部側同士を組み合わせお互いの軸ピン３を巻き付け部４で包み込み回動軸として形成され、取り付け板２は取り付け用の長穴５が２箇所備えてある。【０００８】取り付け板２には、取り付け用の長穴５が二箇所備えてあるが、取り付け用の長穴５に代えて使用目的や用途により異なる穴数量や穴形状にすることも可能である。
又、取り付け板２は鉄または鉄合金で形成すようにしてあるが、加工が可能であれば材質の種類には拘らないとする。
【発明の効果】
【０００９】本発明蝶番１の最大の利点は、本来別の部品である軸ピンを取り付け板２に構成したことにより、１種類の部品で作製できるので部品点数を最大限に少なくでき、材料費や組立工程数の大幅削減ができる利点がある。
【００１０】取り付け用の長穴５に代えて使用目的や用途により異なる穴数量や穴形状にすることも可能であるので、その用途も幅広いものにできるという利点もある。
又、本発明の蝶番は、基本は１種類の部品で構成されているが、より滑りを良くする為に軸ピン３の周りに潤滑樹脂やベアリング等を入れる事も可能である。
【図面の簡単な説明】
【００１１】
【図１】は蝶番を組み立てた状態の斜視図である。
【図２】は蝶番の分解斜視図である。
【図３】は蝶番の施工状態を示す斜視図である。
【符号の簡単な説明】
【００１２】１．蝶番
２．取り付け板
３．軸ピン
４．巻き付け部
５．取り付け用の長穴
６．取り付け螺子
７．扉枠
８．扉
【図１】
2008138497.tif 000003
【図２】
2008138497.tif 000004
【図３】
2008138497.tif 000005
(57)【要約】【課題】長尺折板屋根及び、ストレート屋根上で高所作業する時、軒先及び開口部からの墜落転落を防止し安全に作業できるようにする事が課題である。【解決手段】長尺折板屋根及びストレート屋根上に墜落防止装置１を固定金具３及び補助金具５により取り付け鋼管パイプ８を使用する事により作業員の行動を規制でき命綱を使用する事により墜落転落事故がなくなりこの課題を解決する。【選択図】図８
2008138498.tif 000002
【特許請求の範囲】
【請求項１】
建築現場の折板屋根工事を施工する時、折板屋根上で安全作業ができる装置
【請求項２】
折板屋根の種類により取り付金具を変えて、屋根上に取り付ける補助装置
【発明の詳細な説明】
【技術分野】
【０００１】  本発明は折板屋根及びストレート屋根上で作業する。作業員の墜落防止装置である。
【背景技術】
【０００２】  現在、折板屋根上には墜落防止装置はなく、非常に危険な状態で作業している、そのため墜落事故が多発している。
【発明の開示】
【発明が解決しようとする課題】
【０００３】  折板屋根及びストレート屋根上で高所作業する時、軒先、開口部より、転落墜落事故が多発している、転落、墜落事故防止が解決しようとする課題である。
【課題を解決するための手段】
【０００４】    この課題を解決するための請求項１の発明は現在、折板屋根で多く使われている。５００ミリタイプの屋根材すべてに取り付けられ既製品の鋼管材を取付ける事によって、作業員の行動を規制し、墜落転落防止できる。【０００５】    また、請求項２の補助装置を請求項１の墜落防止装置に付けることにより各種折板屋根及びストレート屋根にまで取付ける事ができる。
【発明の効果】
【０００６】    本発明により折板屋根スレート屋根上で高所作業する作業員の墜落転落事故が防止できる。
【発明を実施するための最良の形態】
【０００７】    図１は長尺折板屋根に平行に取付け装置の中心より垂直に立上げる事によりどの方向からの力にも耐えられる墜落などにより強力な力がかかっても装置の脱落も防止できる。【０００８】    図３は５００ミリタイプの折板屋根のハゼ部分にボルト固定された片側の金具の断面図である。
１脚につき６ヶ所で金具固定する事により強度を出しボルトを使用することにより簡単に取り付けられる。【０００９】    図５図６は墜落防止装置の補助装置の平面図と立体図である。
この補助装置を付ける事により各種折板屋根及びストレート屋根に固定することができる。【００１０】    図７は墜落防止装置に既製品の鋼管材を取付ける事により、作業員の行動も規制することができる。【００１１】    図８は、長尺折板屋根に墜落防止装置及び鋼管材も取り付け、作業員が命綱を使用している図である。
すべて、ボトルで取付けが出来、設置も取りはずしも簡単で、角パイプなどの軽量鋼材で作成できるため、取り扱いも楽である。
【産業上の利用可能性】
【００１２】    すべてが軽量鉄骨鋼材で加工できるため、量産が可能なため産業上の利用性能を有する。
【図面の簡単な説明】
【００１３】
2008138498.tif 000003
【図３】墜落防止装置を折板屋根のハゼ部分に取り付けた片足部分の断面図である。
【図４】墜落防止装置を折板屋根のハゼ部分に取り付けた片足の側面からの断面図である。
【図５】墜落防止装置の補助金具の平面図である。
【図６】墜落防止装置の補助金具の断面図である。
【図７】墜落防止装置を５００ミリタイプの折板屋根に固定し既製品の鋼管材を取り付けた立体図です。
【図８】墜落防止装置を５００ミリタイプの折板屋根に固定し既製品の鋼管材を取り付け作業員が安全帯を使用している図である。
【符号の説明】
【００１４】  １長尺折板屋根に取り付け墜落防止装置
２長尺折板屋根
３長尺折板屋根５００ミリタイプに取り付ける為の固定金具
４各種折板屋根及びストレート屋根に取り付ける補助金具の固定ボルト１２ミリ穴
５各種折板屋根及びストレートに固定する補助金具
６各種折板屋根及びストレート屋根に取り付ける補助金具を墜落防止装置に結束するための突起
７墜落防止装置に既製品の鋼管材を結束にする既製品のクランプ
８鋼管材
９墜落防止装置に付けられた鋼管材に取り付け使用する命綱
１０命綱を使用する作業員
【図１】
2008138498.tif 000004
【図２】
2008138498.tif 000005
【図３】
2008138498.tif 000006
【図４】
2008138498.tif 000007
【図５】
2008138498.tif 000008
【図６】
2008138498.tif 000009
【図７】
2008138498.tif 000010
【図８】
2008138498.tif 000011
(57)【要約】【目的】          紙パンツをしたまま排便をした場合、便は肛門の周りと前方、陰部にかけて広がってしまい、汚物を洗浄することができなかった。  洗浄装置のノズルの先端をリモートコントロールで、３６０度回転することにより、広範囲に汚物を洗浄するものである。【構成】          介助者はリモートコントロールによりノズルの前後の位置とノズル先端部の角度調整を操作していき、洗浄部位を確認しながら、ノズルの角度を変えて洗浄していく。また、洗浄装置ノズルに切り換えによるシャワー機能を備え、広範囲に洗浄しやすくする。【選択図】図１
2008138494.tif 000002
【特許請求の範囲】
【請求項１】
紙パンツをしたまま排便をした場合、便は肛門の周りと前方、陰部にかけて広がってしまう。介助者はリモートコントロールにより、洗浄部位を確認しながら、ノズルを操作していく。また、介助対象者が男性の場合、睾丸のつけ根部分に便が多く付着するため、角度を変えて洗浄する必要があり、ノズルの前後の位置とノズル先端部の角度調整をリモートコントロールで操作していく。
【請求項２】
洗浄装置ノズルに切り換えによるシャワー機能を備え、広範囲に洗浄しやすくする。
【請求項３】
洗浄する部位をあらかじめ記憶させ、ワンタッチで、広範囲の洗浄を可能にする。
【発明の詳細な説明】
【技術分野】
【０００１】  本発明は介護対象者が紙パンツなどで、便をした場合、便がおしり全体に広がってしまう為、リモートコントロールにより、介助者が洗浄装置を操作しながら汚物を洗浄するものである。
【背景技術】
【０００２】  従来、肛門部及び陰部を洗浄する洗浄装置が知られている。
【発明の開示】
【発明が解決しようとする課題】
【０００３】  従来の技術はおしり洗浄と女性用のビデ洗浄とがあるが、ノズルの移動は前後のみであり、紙パンツをしたまま排便をして、おしり全体に便が広がってしまった状態では、汚物を洗浄することができなかった。
【課題を解決するための手段】
【０００４】  洗浄装置のノズルの先端をリモートコントロールで、３６０度回転することにより、広範囲に汚物を洗浄するものである。また、洗浄装置ノズルに切り換えによるシャワー機能を備え、広範囲に洗浄しやすくする。さらに、洗浄する部位をあらかじめ記憶させ、ワンタッチで、広範囲の洗浄を可能にする。
【発明の効果】
【０００５】  従来の洗浄装置ではノズルは前後移動のみであった為、洗浄範囲が限られていたが、本発明ではノズルの先端が首振りする為、紙パンツなどで広がってしまった汚物を広範囲に洗浄することができる。
【発明を実施するための最良の形態】
【０００６】  紙パンツをしたまま排便をした場合、便は肛門の周りと前方、陰部にかけて広がってしまう。介助者はリモートコントロールにより、洗浄部位を確認しながら、ノズルを操作していく。また、介助対象者が男性の場合、睾丸のつけ根部分に便が多く付着するため、角度を変えて洗浄する必要があり、ノズルの前後の位置とノズル先端部の角度調整をリモートコントロールで操作していく。
また、洗浄装置ノズルに切り換えによるシャワー機能を備え、広範囲に洗浄しやすくする。さらに、洗浄する部位をあらかじめ記憶させ、ワンタッチで、広範囲の洗浄を可能にする。
【図面の簡単な説明】
【０００７】
【図１】    リモートコントロールにより、ノズルの方向を変えて、洗浄する説明図である。
【図２】    洗浄装置ノズルのシャワー機能の説明図である。
【図１】
2008138494.tif 000003
【図２】
2008138494.tif 000004